(57)【要約】【課題】移動体に搭載された移動体放送受信装置において、テレビ放送を視聴不可の場面なく出力すること。【解決手段】受信部１０２によってテレビ放送を受信し、受信放送情報送信部１０３によって、テレビ放送を録画する放送録画装置へ、テレビ放送の受信の開始に関する情報を送信する。つぎに、受信状態検出部１０４によって、受信しているテレビ放送の受信状態を検出し、判断部１０５によってテレビ放送が視聴不可の状態であると判断された場合、視聴情報送信部１０６によって、放送録画装置へ、視聴不可の場面に関する情報を送信する。そして、取得部１０８によって、放送録画装置から、テレビ放送における視聴不可の場面の録画データを取得する。さらに、出力制御部１１１によって、出力部１０１を制御して、テレビ放送における視聴不可の場面に、取得部１０８によって取得された録画データを出力する。【選択図】図１
2009302970.tif 000002
【特許請求の範囲】
【請求項１】
移動体に搭載され、テレビ放送を出力部に出力する移動体放送受信装置において、
前記テレビ放送を受信する受信手段と、
前記受信手段による前記テレビ放送の受信の開始に関する情報を、前記テレビ放送を録画する放送録画装置へ送信する受信放送情報送信手段と、
前記受信手段によって受信している前記テレビ放送の受信状態を検出する受信状態検出手段と、
前記受信状態に基づいて、前記テレビ放送が視聴不可の状態か否かを判断する判断手段と、
前記判断手段によって、前記テレビ放送が視聴不可の状態であると判断された場合、当該テレビ放送における視聴不可の場面に関する情報を前記放送録画装置へ送信する視聴情報送信手段と、
前記放送録画装置に録画された前記テレビ放送（以下、録画データとする）のうちの、前記テレビ放送における視聴不可の場面の前記録画データを取得する取得手段と、
前記出力部を制御して、前記テレビ放送における視聴不可の場面に、前記取得手段によって取得された前記録画データを出力する出力制御手段と、
を備えることを特徴とする移動体放送受信装置。
【請求項２】
前記視聴情報送信手段は、前記出力制御手段によって前記出力部を制御して前記録画データを出力しているときに、前記判断手段によって、前記テレビ放送が視聴可の状態に戻ったと判断された場合、前記テレビ放送における視聴可に戻った場面に関する情報を前記放送録画装置へ送信し、
前記取得手段は、前記テレビ放送における視聴不可の場面から、当該テレビ放送における視聴可に戻った場面までの前記録画データを取得することを特徴とする請求項１に記載の移動体放送受信装置。
【請求項３】
前記判断手段によって、前記テレビ放送が視聴可の状態に戻ったと判断された場合、前記テレビ放送における視聴可に戻った場面からの当該テレビ放送を記録部へ録画する放送録画手段をさらに備え、
前記出力制御手段は、前記取得手段によって取得された前記テレビ放送における視聴可に戻った場面までの前記録画データを出力した後に、前記記録部に録画された前記テレビ放送における視聴可に戻った場面からの当該テレビ放送を出力することを特徴とする請求項２に記載の移動体放送受信装置。
【請求項４】
前記取得手段は、前記放送録画装置から前記録画データを、無線通信によって取得することを特徴とする請求項１〜３のいずれか一つに記載の移動体放送受信装置。
【請求項５】
前記テレビ放送に含まれる番組の種別を検出する種別検出手段をさらに備え、
前記取得手段は、前記番組の種別が所定の種別の場合に、前記録画データを取得することを特徴とする請求項１〜４のいずれか一つに記載の移動体放送受信装置。
【請求項６】
移動体に搭載され、テレビ放送を受信して出力する移動体放送受信装置から、前記テレビ放送の受信の開始に関する情報を受け付ける受信放送情報受付手段と、
前記テレビ放送の受信の開始に関する情報に基づいて、前記移動体放送受信装置において受信された前記テレビ放送と同一の前記テレビ放送を記録部へ録画する同一放送録画手段と、
前記移動体放送受信装置から、前記テレビ放送における視聴不可の場面に関する情報を受け付ける視聴情報受付手段と、
前記記録部に録画された前記テレビ放送（以下、録画データとする）のうちの、前記視聴不可の場面の前記録画データを検出する場面検出手段と、
前記視聴不可の場面の前記録画データを、前記移動体放送受信装置へ送信する録画データ送信手段と、
を備えることを特徴とする放送録画装置。
【請求項７】
移動体に搭載され、テレビ放送を出力部に出力する移動体放送受信装置における放送受信方法において、
前記テレビ放送を受信する受信工程と、
前記受信工程による前記テレビ放送の受信の開始に関する情報を、前記テレビ放送を録画する放送録画装置へ送信する受信放送情報送信工程と、
前記受信工程によって受信している前記テレビ放送の受信状態を検出する検出工程と、
前記受信状態に基づいて、前記テレビ放送が視聴不可の状態か否かを判断する判断工程と、
前記判断工程によって、前記テレビ放送が視聴不可の状態であると判断された場合、当該テレビ放送における視聴不可の場面に関する情報を前記放送録画装置へ送信する視聴情報送信工程と、
前記放送録画装置に録画された前記テレビ放送（以下、録画データとする）のうちの、前記テレビ放送における視聴不可の場面の前記録画データを取得する取得工程と、
前記出力部を制御して、前記テレビ放送における視聴不可の場面に、前記取得工程によって取得された前記録画データを出力する出力制御工程と、
を含むことを特徴とする放送受信方法。
【請求項８】
移動体に搭載され、テレビ放送を受信して出力する移動体放送受信装置から、前記テレビ放送の受信の開始に関する情報を受け付ける受信放送情報受付工程と、
前記テレビ放送の受信の開始に関する情報に基づいて、前記移動体放送受信装置において受信された前記テレビ放送と同一の前記テレビ放送を記録部へ録画する同一放送録画工程と、
前記移動体放送受信装置から、前記テレビ放送における視聴不可の場面に関する情報を受け付ける視聴情報受付工程と、
前記記録部に録画された前記テレビ放送（以下、録画データとする）のうちの、前記視聴不可の場面の前記録画データを検出する場面検出工程と、
前記視聴不可の場面の前記録画データを、前記移動体放送受信装置へ送信する録画データ送信工程と、
を含むことを特徴とする放送録画方法。
【請求項９】
請求項７に記載の放送受信方法をコンピュータに実行させることを特徴とする放送受信プログラム。
【請求項１０】
請求項８に記載の放送録画方法をコンピュータに実行させることを特徴とする放送録画プログラム。
【請求項１１】
請求項９に記載の放送受信プログラムまたは請求項１０に記載の放送録画プログラムを記録したことを特徴とするコンピュータに読み取り可能な記録媒体。
【発明の詳細な説明】
【技術分野】
【０００１】
この発明は、移動体などテレビ放送波の受信状態が悪い状況において、視聴不可の場面のないテレビ放送を出力する移動体放送受信装置、放送録画装置、放送受信方法、放送録画方法、放送受信プログラム、放送録画プログラムおよび記録媒体に関する。
【背景技術】
【０００２】
従来、たとえば移動体などに搭載され、テレビ放送を出力する移動体放送受信装置において番組の視聴が開始されると、番組を特定するデータが録画装置に送られ、録画装置において移動体放送受信装置で受信している番組の映像信号が録画データ記録部に記録されるテレビ放送受信システムが提案されている（たとえば、下記特許文献１参照。）。このテレビ放送受信システムにおいては、移動体放送受信装置で番組を視聴中に電波障害等により番組の視聴ができなくなると、移動体放送受信装置の受信障害情報記録部に受信障害情報が書き込まれる。そして、この受信障害情報が、移動体放送受信装置から録画装置に送信される。さらに、その後、録画装置において、受信障害情報に応じた映像信号の再生がおこなわれる。
【０００３】
【特許文献１】特開２００６−３３１２０号公報
【発明の開示】
【発明が解決しようとする課題】
【０００４】
しかしながら、上述した特許文献１においては、利用者は、移動体を降りた後に、録画装置の設置されている地点に行かないと、移動体放送受信装置で視聴できなかった部分を視聴できないという問題がある。また、移動体放送受信装置で視聴できなかった部分を後で視聴するため、たとえばドラマや映画など、各場面の前後関係が崩れてしまい、番組の魅力が半減してしまうという問題がある。また、たとえば各場面の前後関係を崩さないため、視聴できなかった部分から後の場面の視聴を移動体放送受信装置によって再開しない場合、後から録画装置で視聴しなければならず、家庭用の録画機器に録画して再生するのと変わらなくなってしまうという問題がある。
【課題を解決するための手段】
【０００５】
上述した課題を解決し、目的を達成するため、請求項１の発明にかかる移動体放送受信装置は、移動体に搭載され、テレビ放送を出力部に出力する移動体放送受信装置において、前記テレビ放送を受信する受信手段と、前記受信手段による前記テレビ放送の受信の開始に関する情報を、前記テレビ放送を録画する放送録画装置へ送信する受信放送情報送信手段と、前記受信手段によって受信している前記テレビ放送の受信状態を検出する受信状態検出手段と、前記受信状態に基づいて、前記テレビ放送が視聴不可の状態か否かを判断する判断手段と、前記判断手段によって、前記テレビ放送が視聴不可の状態であると判断された場合、当該テレビ放送における視聴不可の場面に関する情報を前記放送録画装置へ送信する視聴情報送信手段と、前記放送録画装置に録画された前記テレビ放送（以下、録画データとする）のうちの、前記テレビ放送における視聴不可の場面の前記録画データを取得する取得手段と、前記出力部を制御して、前記テレビ放送における視聴不可の場面に、前記取得手段によって取得された前記録画データを出力する出力制御手段と、を備えることを特徴とする。
【０００６】
また、請求項６の発明にかかる放送録画装置は、移動体に搭載され、テレビ放送を受信して出力する移動体放送受信装置から、前記テレビ放送の受信の開始に関する情報を受け付ける受信放送情報受付手段と、前記テレビ放送の受信の開始に関する情報に基づいて、前記移動体放送受信装置において受信された前記テレビ放送と同一の前記テレビ放送を記録部へ録画する同一放送録画手段と、前記移動体放送受信装置から、前記テレビ放送における視聴不可の場面に関する情報を受け付ける視聴情報受付手段と、前記記録部に録画された前記テレビ放送（以下、録画データとする）のうちの、前記視聴不可の場面の前記録画データを検出する場面検出手段と、前記視聴不可の場面の前記録画データを、前記移動体放送受信装置へ送信する録画データ送信手段と、を備えることを特徴とする。
【０００７】
また、請求項７の発明にかかる放送受信方法は、移動体に搭載され、テレビ放送を出力部に出力する移動体放送受信装置における放送受信方法において、前記テレビ放送を受信する受信工程と、前記受信工程による前記テレビ放送の受信の開始に関する情報を、前記テレビ放送を録画する放送録画装置へ送信する受信放送情報送信工程と、前記受信工程によって受信している前記テレビ放送の受信状態を検出する検出工程と、前記受信状態に基づいて、前記テレビ放送が視聴不可の状態か否かを判断する判断工程と、前記判断工程によって、前記テレビ放送が視聴不可の状態であると判断された場合、当該テレビ放送における視聴不可の場面に関する情報を前記放送録画装置へ送信する視聴情報送信工程と、前記放送録画装置に録画された前記テレビ放送（以下、録画データとする）のうちの、前記テレビ放送における視聴不可の場面の前記録画データを取得する取得工程と、前記出力部を制御して、前記テレビ放送における視聴不可の場面に、前記取得工程によって取得された前記録画データを出力する出力制御工程と、を含むことを特徴とする。
【０００８】
また、請求項８の発明にかかる放送録画方法は、移動体に搭載され、テレビ放送を受信して出力する移動体放送受信装置から、前記テレビ放送の受信の開始に関する情報を受け付ける受信放送情報受付工程と、前記テレビ放送の受信の開始に関する情報に基づいて、前記移動体放送受信装置において受信された前記テレビ放送と同一の前記テレビ放送を記録部へ録画する同一放送録画工程と、前記移動体放送受信装置から、前記テレビ放送における視聴不可の場面に関する情報を受け付ける視聴情報受付工程と、前記記録部に録画された前記テレビ放送（以下、録画データとする）のうちの、前記視聴不可の場面の前記録画データを検出する場面検出工程と、前記視聴不可の場面の前記録画データを、前記移動体放送受信装置へ送信する録画データ送信工程と、を含むことを特徴とする。
【０００９】
また、請求項９の発明にかかる放送受信プログラムは、請求項７に記載の放送受信方法をコンピュータに実行させることを特徴とする。
【００１０】
また、請求項１０の発明にかかる放送録画プログラムは、請求項８に記載の放送録画方法をコンピュータに実行させることを特徴とする。
【００１１】
また、請求項１１の発明にかかる記録媒体は、請求項９に記載の放送受信プログラムまたは請求項１０に記載の放送録画プログラムをコンピュータに読み取り可能な状態で記録したことを特徴とする。
【発明を実施するための最良の形態】
【００１２】
以下に添付図面を参照して、この発明にかかる移動体放送受信装置、放送録画装置、放送受信方法、放送録画方法、放送受信プログラム、放送録画プログラムおよび記録媒体の好適な実施の形態を詳細に説明する。
【００１３】
（実施の形態）
（移動体放送受信装置の機能的構成）
まず、この発明の実施の形態にかかる移動体放送受信装置１００の機能的構成について説明する。図１は、本実施の形態にかかる移動体放送受信装置の機能的構成を示すブロック図である。
【００１４】
図１において、移動体放送受信装置１００は、出力部１０１と、受信部１０２と、受信放送情報送信部１０３と、受信状態検出部１０４と、判断部１０５と、視聴情報送信部１０６と、種別検出部１０７と、取得部１０８と、放送録画部１０９と、記録部１１０と、出力制御部１１１と、を備えている。出力部１０１は、テレビ放送を出力する表示画面やスピーカを備えている。
【００１５】
受信部１０２は、テレビ放送を受信する。受信部１０２は、具体的には、テレビ放送波を受信するアンテナ部や、選局された番組のテレビ放送波をアンテナ部から受信し、デジタル信号に変換するチューナー部、チューナー部により変換されたデジタル信号を映像情報や音声情報に分離するデコード部などを備えている。
【００１６】
受信放送情報送信部１０３は、受信部１０２によるテレビ放送の受信の開始に関する情報を、テレビ放送を録画する放送録画装置へ送信する。放送録画装置については、後述する。テレビ放送の受信の開始に関する情報は、たとえば、受信した番組を特定する情報や番組の開始時刻に関する情報などを含んでいる。
【００１７】
受信状態検出部１０４は、受信部１０２によって受信しているテレビ放送の受信状態を検出する。受信状態検出部１０４は、たとえば受信部１０２によって受信されているテレビ放送波の受信レベルを検出する。
【００１８】
判断部１０５は、受信状態検出部１０４によって検出された受信状態に基づいて、テレビ放送が視聴不可の状態か否かを判断する。具体的には、受信状態検出部１０４によって検出されたテレビ放送波の受信レベルが、受信障害などによって所定値以内になったか否かを判断する。
【００１９】
視聴情報送信部１０６は、判断部１０５によって、テレビ放送が視聴不可の状態であると判断された場合、このテレビ放送における視聴不可の場面に関する情報を放送録画装置へ送信する。ここで、視聴不可の場面に関する情報は、たとえば視聴不可になった時刻に関する情報でもよい。また、視聴情報送信部１０６は、後述する出力制御部１１１によって出力部１０１を制御して、後述する録画データを出力しているときに、判断部１０５によって、テレビ放送が視聴可の状態に戻ったと判断された場合、テレビ放送における視聴可に戻った場面に関する情報を放送録画装置へ送信する。視聴可に戻った場面に関する情報は、たとえば視聴可に戻った時刻に関する情報でもよい。
【００２０】
種別検出部１０７は、テレビ放送に含まれる番組の種別を検出する。種別検出部１０７は、たとえばテレビ放送がデジタル放送の場合、ＥＰＧ（Ｅｌｅｃｔｒｏｎｉｃ  Ｐｒｏｇｒａｍ  Ｇｕｉｄｅ：電子番組ガイド）から、テレビ放送に含まれる番組の種別を検出してもよい。番組の種別は、たとえばドラマ、映画、スポーツ、ニュースなどである。
【００２１】
取得部１０８は、放送録画装置に録画されたテレビ放送（以下、録画データとする）のうちの、テレビ放送における視聴不可の場面の録画データを取得する。また、取得部１０８は、視聴情報送信部１０６によって、テレビ放送における視聴可に戻った場面に関する情報を放送録画装置へ送信した場合、テレビ放送における視聴不可の場面から、テレビ放送における視聴可に戻った場面までの録画データを取得してもよい。この場合、テレビ放送における視聴不可の場面から、テレビ放送における視聴可に戻った場面までの録画データを連続して取得してもよいし、所定時間ごとにまとめて取得してもよい。
【００２２】
取得部１０８は、具体的には、たとえば、放送録画装置から録画データを、無線通信によって取得する。なお、取得部１０８は、番組の種別が所定の種別の場合に、録画データを取得する構成でもよい。所定の種別は、たとえばドラマ、映画、スポーツなどの、場面の前後関係が重要な番組である。
【００２３】
放送録画部１０９は、判断部１０５によって、テレビ放送が視聴可の状態に戻ったと判断された場合、テレビ放送における視聴可に戻った場面からのテレビ放送を記録部１１０へ録画する。また、放送録画部１０９は、受信部１０２によって受信を開始したときからテレビ放送を記録部１１０に録画してもよい。この場合、録画されたテレビ放送の視聴不可の場面を、取得部１０８によって取得された録画データに書き換えることで、視聴不可の場面のない状態で、番組を録画することができる。
【００２４】
出力制御部１１１は、出力部１０１を制御して、テレビ放送における視聴不可の場面に、取得部１０８によって取得された録画データを出力する。また、出力制御部１１１は、取得部１０８によって取得されたテレビ放送における視聴可に戻った場面までの録画データを出力した後に、記録部１１０に録画されたテレビ放送における視聴可に戻った場面からのテレビ放送を出力する。
【００２５】
ここで、たとえば視聴不可の場面の録画データを取得する際に、視聴不可の状態であると判断されてから時間差が生じ、視聴可に戻った場面まで録画データを出力した後に、受信部１０２によって受信している場面を出力すると、生じた時間差の分だけ出力されない場面があるという問題がある。一方、放送録画部１０９によって、少なくとも視聴可に戻った場面からのテレビ放送を録画しておくことで、タイムシフト再生（追いかけ再生）をおこなうことができる。これによって、出力されない場面がなく、テレビ放送を出力することができる。
【００２６】
（放送録画装置の機能的構成）
まず、この発明の実施の形態にかかる放送録画装置２００の機能的構成について説明する。図２は、本実施の形態にかかる放送録画装置の機能的構成を示すブロック図である。図２において、放送録画装置２００は、受信放送情報受付部２０１と、同一放送録画部２０２と、記録部２０３と、視聴情報受付部２０４と、場面検出部２０５と、録画データ送信部２０６と、を備えている。受信放送情報受付部２０１は、移動体放送受信装置１００から、受信されたテレビ放送に関する情報を受け付ける。
【００２７】
同一放送録画部２０２は、受信放送情報受付部２０１によって受け付けられたテレビ放送の受信の開始に関する情報に基づいて、移動体放送受信装置１００において受信されているテレビ放送と同一のテレビ放送を記録部２０３へ録画する。
【００２８】
視聴情報受付部２０４は、移動体放送受信装置１００から、テレビ放送における視聴不可の場面に関する情報を受け付ける。また、視聴情報受付部２０４は、移動体放送受信装置１００から、テレビ放送における視聴可に戻った場面に関する情報を受け付けてもよい。なお、視聴情報受付部２０４は、視聴不可の場面に関する情報や視聴可に戻った場面に関する情報を記録部２０３などに記録しておいてもよい。
【００２９】
場面検出部２０５は、視聴情報受付部２０４によって受け付けられた視聴不可の場面に関する情報に基づいて、記録部２０３に録画されたテレビ放送（以下、録画データとする）のうちの、移動体放送受信装置１００における視聴不可の場面の録画データを検出する。また、場面検出部２０５は、視聴情報受付部２０４によって、視聴可に戻った場面に関する情報を受け付けた場合、録画データのうちの、視聴不可になった場面から視聴可に戻った場面までの録画データを検出してもよい。
【００３０】
録画データ送信部２０６は、場面検出部２０５によって検出された視聴不可の場面の録画データを、移動体放送受信装置１００へ送信する。また、録画データ送信部２０６は、視聴不可になった場面から視聴可に戻った場面までの録画データを送信する。なお、録画データ送信部２０６は、視聴情報受付部２０４によって視聴不可の場面に関する情報を受け付けるたびに、視聴不可の場面の録画データを送信してもよいし、所定期間ごとにまとめて送信してもよい。
【００３１】
（移動体放送受信装置の放送受信処理手順）
つぎに、移動体放送受信装置１００の放送受信処理手順について説明する。図３は、移動体放送受信装置の放送受信処理手順を示すフローチャートである。図３のフローチャートにおいて、まず、受信部１０２によってテレビ放送の受信を開始する（ステップＳ３０１）。そして、受信放送情報送信部１０３によって、テレビ放送を録画する放送録画装置２００へ、ステップＳ３０１におけるテレビ放送の受信の開始に関する情報を送信する（ステップＳ３０２）。
【００３２】
つぎに、受信状態検出部１０４によって、受信部１０２によって受信しているテレビ放送の受信状態を検出する（ステップＳ３０３）。そして、ステップＳ３０３において検出された受信状態に基づいて、判断部１０５によってテレビ放送が視聴不可の状態か否かを判断する（ステップＳ３０４）。ステップＳ３０４においてテレビ放送が視聴可の状態であると判断された場合（ステップＳ３０４：Ｎｏ）、ステップＳ３０３に戻り、以降の処理を繰り返しおこなう。
【００３３】
一方、ステップＳ３０４においてテレビ放送が視聴不可の状態であると判断された場合（ステップＳ３０４：Ｙｅｓ）、視聴情報送信部１０６によって、放送録画装置２００へ、視聴不可の場面に関する情報を送信する（ステップＳ３０５）。そして、取得部１０８によって、放送録画装置２００に録画された録画データのうちのテレビ放送における視聴不可の場面の録画データを取得する（ステップＳ３０６）。さらに、出力制御部１１１によって出力部１０１を制御して、テレビ放送における視聴不可の場面にステップＳ３０６において取得された録画データを出力して（ステップＳ３０７）、一連の処理を終了する。
【００３４】
なお、図３のフローチャートにおいては、ステップＳ３０７においてテレビ放送における視聴不可の場面に録画データを出力しているときに、判断部１０５によってテレビ放送が視聴可の状態に戻ったと判断された場合、視聴情報送信部１０６によってテレビ放送における視聴可に戻った場面に関する情報を放送録画装置２００へ送信してもよい。この場合、取得部１０８によって、テレビ放送における視聴不可の場面から視聴可に戻った場面までの録画データを放送録画装置２００から取得し、出力制御部１１１によって出力部１０１を制御して、録画データを出力して、一連の処理を終了してもよい。
【００３５】
また、図３のフローチャートにおいては、ステップＳ３０７においてテレビ放送における視聴不可の場面に録画データを出力しているときに、判断部１０５によってテレビ放送が視聴可の状態に戻ったと判断された場合、放送録画部１０９によってテレビ放送における視聴可に戻った場面からのテレビ放送を記録部１１０へ録画してもよい。この場合、出力制御部１１１によって、取得部１０８によって取得されたテレビ放送における視聴可に戻った場面までの録画データを出力した後に、記録部１１０に録画されたテレビ放送における視聴可に戻った場面からのテレビ放送を出力してもよい。
【００３６】
また、図３のフローチャートにおいては、ステップＳ３０６においてテレビ放送における視聴不可の場面の録画データを取得するときに、種別検出部１０７によって検出された番組の種別が所定の種別の場合にのみ、録画データを取得してもよい。
【００３７】
（放送録画装置の放送録画処理手順）
つぎに、放送録画装置２００の放送録画処理手順について説明する。図４は、放送録画装置の放送録画処理手順を示すフローチャートである。図４のフローチャートにおいて、まず、受信放送情報受付部２０１によって、移動体放送受信装置１００からテレビ放送の受信の開始に関する情報を受け付ける（ステップＳ４０１）。そして、同一放送録画部２０２によって、ステップＳ４０１において受け付けられたテレビ放送の受信の開始に関する情報に基づいて、記録部２０３に、移動体放送受信装置１００において受信されたテレビ放送と同一のテレビ放送を録画する（ステップＳ４０２）。
【００３８】
つぎに、視聴情報受付部２０４によって、移動体放送受信装置１００からテレビ放送における視聴不可の場面に関する情報を受け付ける（ステップＳ４０３）。そして、ステップＳ４０３において受け付けられた、テレビ放送における視聴不可の場面に関する情報に基づいて、場面検出部２０５によって記録部２０３に録画された録画データのうちの、視聴不可の場面の録画データを検出する（ステップＳ４０４）。さらに、録画データ送信部２０６によって、移動体放送受信装置１００へ、ステップＳ４０４において検出された視聴不可の場面の録画データを送信して（ステップＳ４０５）、一連の処理を終了する。
【００３９】
なお、図４のフローチャートにおいては、ステップＳ４０３においてテレビ放送における視聴不可の場面に関する情報を受け付けた後に、移動体放送受信装置１００から視聴可に戻った場面に関する情報を受け付けてもよい。この場合、ステップＳ４０４においては、視聴不可になった場面から視聴可に戻った場面までの録画データを検出し、ステップＳ４０５においては、視聴不可になった場面から視聴可に戻った場面までの録画データを送信するようにしてもよい。
【００４０】
上述したように、本実施の形態の移動体放送受信装置１００によれば、判断部１０５によってテレビ放送が視聴不可の状態であると判断された場合、視聴情報送信部１０６によって、同一のテレビ放送が録画されている放送録画装置２００へ、視聴不可の場面に関する情報を送信することができる。そして、取得部１０８によって、放送録画装置２００に録画された録画データのうちの、テレビ放送における視聴不可の場面の録画データを取得することができる。したがって、テレビ放送における、移動体放送受信装置１００においては視聴不可の場面を、放送録画装置２００から取得して出力することができる。これによって、利用者は、場面の前後関係を崩すことなく、かつ視聴不可の場面なく、テレビ放送を視聴することができる。
【００４１】
また、本実施の形態の移動体放送受信装置１００によれば、判断部１０５によって、テレビ放送が視聴可の状態に戻ったと判断された場合、放送録画部１０９によってテレビ放送における視聴可に戻った場面からのテレビ放送を記録部１１０へ録画することができる。また、取得部１０８によって取得されたテレビ放送における視聴可に戻った場面までの録画データを出力した後に、記録部１１０に録画されたテレビ放送における視聴可に戻った場面からのテレビ放送を出力することができる。
【００４２】
したがって、たとえば、視聴情報送信部１０６によって視聴不可の場面に関する情報を送信してから取得部１０８によってテレビ放送における視聴不可の場面の録画データを取得するまでに時間差が生じた場合、タイムシフト再生（追いかけ再生）をおこなうことができる。これによって、利用者は、テレビ放送のうちの全ての場面を視聴することができる。
【００４３】
また、本実施の形態の移動体放送受信装置１００によれば、種別検出部１０７によって検出された、テレビ放送に含まれる番組の種別が所定の種別の場合に、録画データを取得することができる。これによって、利用者は、場面の前後関係が重要な番組のみ、場面の前後関係を崩すことなく、全ての場面を視聴することができる。また、たとえば、ニュースなどの即時性が重要な番組に対しては、上述の処理をおこなわないことで、最新の情報を得ることができる。
【００４４】
また、本実施の形態の放送録画装置２００によれば、受信放送情報受付部２０１によって、移動体放送受信装置１００からテレビ放送の受信の開始に関する情報を受け付けて、同一放送録画部２０２によって移動体放送受信装置１００において受信されたテレビ放送と同一のテレビ放送を記録部２０３へ録画することができる。また、視聴情報受付部２０４によって、移動体放送受信装置１００からテレビ放送における視聴不可の場面に関する情報を受け付けた場合、記録部２０３に録画された録画データのうちの、視聴不可の場面の録画データを場面検出部２０５によって検出し、録画データ送信部２０６によって、視聴不可の場面の録画データを移動体放送受信装置１００へ送信することができる。
【００４５】
したがって、移動体放送受信装置１００によって受信が開始されたときに、同一の番組の受信・録画を開始し、移動体放送受信装置１００によって視聴不可の場面がある場合、この場面の録画データを移動体放送受信装置１００に送信することができる。これによって、移動体放送受信装置１００においては、場面の前後関係を崩すことなく、全ての場面を出力することができる。
【実施例】
【００４６】
以下に、本発明の実施例について説明する。本実施例では、たとえば、車両（四輪車、二輪車を含む）などの移動体に搭載される移動体放送受信装置によって、本発明の移動体放送受信装置を実施し、たとえば、家などにあり、テレビ放送波の受信状態が安定している状況で用いられるホームサーバによって、本発明の放送録画装置を実施した場合の一例について説明する。
【００４７】
（放送録画システムの概要）
つぎに、本実施例にかかる放送録画システムの概要について説明する。図５は、本実施例にかかる放送録画システムの概要について示す説明図である。図５に示すように、放送録画システム５００は、移動体放送受信装置５０１と、ホームサーバ５０２と、から構成されている。移動体放送受信装置５０１およびホームサーバ５０２は、テレビ放送波送信装置５１０からテレビ放送波を受信可能である。また、移動体放送受信装置５０１と、ホームサーバ５０２とは、たとえば高速無線通信５１１によって接続されている。なお、移動体放送受信装置５０１は、テレビ放送波の受信状態が不安定な装置であり、ホームサーバ５０２は、テレビ放送波の受信状態が安定している状況で用いられる装置である。
【００４８】
（移動体放送受信装置およびホームサーバのハードウェア構成）
つぎに、本実施例にかかる移動体放送受信装置５０１およびホームサーバ５０２のハードウェア構成について説明する。図６は、本実施例にかかる移動体放送受信装置およびホームサーバのハードウェア構成の一例を示すブロック図である。まず、移動体放送受信装置５０１のハードウェア構成について説明する。図６に示すように、移動体放送受信装置５０１は、ＣＰＵ６０１と、ＲＯＭ６０２と、ＲＡＭ６０３と、磁気ディスクドライブ６０４と、磁気ディスク６０５と、光ディスクドライブ６０６と、光ディスク６０７と、音声Ｉ／Ｆ（インターフェース）６０８と、スピーカ６０９と、入力デバイス６１０と、映像Ｉ／Ｆ６１１と、ディスプレイ６１２と、通信Ｉ／Ｆ６１３と、放送受信機６１４と、を備えている。各構成部６０１〜６１４は、バス６２０によってそれぞれ接続されている。
【００４９】
まず、ＣＰＵ６０１は、移動体放送受信装置５０１の全体の制御を司る。ＲＯＭ６０２は、ブートプログラム、データ更新プログラム、番組録画指示送信プログラム、視聴状態検出プログラム、録画データ再生プログラムなどのプログラムを記録している。また、ＲＡＭ６０３は、ＣＰＵ６０１のワークエリアとして使用される。すなわち、ＣＰＵ６０１は、ＲＡＭ６０３をワークエリアとして使用しながら、ＲＯＭ６０２に記録された各種プログラムを実行することによって、移動体放送受信装置５０１の全体の制御を司る。
【００５０】
番組録画指示送信プログラムは、詳細は後述するが、たとえば後述する放送受信機６１４によってテレビ放送波送信装置５１０からテレビ放送波に含まれる番組Ａの受信を開始した場合、ホームサーバ５０２へ番組Ａの録画を開始する指示（番組録画指示）を送信させる。録画を開始する指示は、たとえば、番組Ａを放送しているチャンネル（放送局）の情報、番組Ａの開始時間や終了時間の情報などである。
【００５１】
視聴状態検出プログラムは、番組の視聴状態を検出させる。番組の視聴状態は、たとえば、後述する放送受信機６１４によって受信しているテレビ放送波の受信強度（受信レベル）である。視聴状態検出プログラムは、たとえば、受信障害などによって受信しているテレビ放送波の受信レベルが所定値以内のときに、視聴不可の状態であると検出させる。また、視聴状態検出プログラムは、番組の視聴不可の状態を検出した時間または視聴可の状態に戻った時間を計時させてもよい。
【００５２】
録画データ再生プログラムは、視聴状態検出プログラムによって視聴不可の状態が検出された場面に、後述するホームサーバ５０２から取得した録画データを再生させる。録画データは、後述するホームサーバ５０２によって録画された、移動体放送受信装置５０１で受信している番組と同一の番組のデータである。
【００５３】
磁気ディスクドライブ６０４は、ＣＰＵ６０１の制御にしたがって磁気ディスク６０５に対するデータの読み取り／書き込みを制御する。磁気ディスク６０５は、磁気ディスクドライブ６０４の制御で書き込まれたデータを記録する。磁気ディスク６０５としては、たとえば、ＨＤ（ハードディスク）やＦＤ（フレキシブルディスク）を用いることができる。
【００５４】
また、光ディスクドライブ６０６は、ＣＰＵ６０１の制御にしたがって光ディスク６０７に対するデータの読み取り／書き込みを制御する。光ディスク６０７は、光ディスクドライブ６０６の制御にしたがってデータが読み出される着脱自在な記録媒体である。光ディスク６０７は、書き込み可能な記録媒体を利用することもできる。着脱可能な記録媒体として、光ディスク６０７のほか、ＭＯ、メモリカードなどであってもよい。
【００５５】
磁気ディスク６０５および光ディスク６０７などの記録媒体に記録される情報の一例としては、番組情報が挙げられる。番組情報とは、後述する放送受信機６１４によってテレビ放送波送信装置５１０から受信されたテレビ放送波に含まれる番組に関する情報である。番組情報は、具体的には、たとえば映像情報や音声情報や文字情報などである。
【００５６】
音声Ｉ／Ｆ６０８は、音声出力用のスピーカ６０９に接続される。スピーカ６０９からは、所定の音声信号を音声Ｉ／Ｆ６０８内でＤ／Ａ変換した音声が出力される。
【００５７】
入力デバイス６１０は、文字、数値、各種指示などの入力のための複数のキーを備えたリモコン、キーボード、タッチパネルなどが挙げられる。入力デバイス６１０は、リモコン、キーボード、タッチパネルのうちいずれか１つの形態によって実現されてもよいが、複数の形態によって実現することも可能である。
【００５８】
映像Ｉ／Ｆ６１１は、ディスプレイ６１２に接続される。映像Ｉ／Ｆ６１１は、具体的には、たとえば、ディスプレイ６１２全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ６１２を制御する制御ＩＣなどによって構成される。
【００５９】
ディスプレイ６１２には、アイコン、カーソル、メニュー、ウインドウ、あるいは文字や画像などの各種データが表示される。ディスプレイ６１２としては、たとえば、ＣＲＴ、ＴＦＴ液晶ディスプレイ、プラズマディスプレイなどを用いることができる。
【００６０】
通信Ｉ／Ｆ６１３は、無線を介してネットワークに接続され、移動体放送受信装置５０１とＣＰＵ６０１とのインターフェースとして機能する。通信Ｉ／Ｆ６１３は、さらに、無線を介してインターネットなどの通信網に接続され、この通信網とＣＰＵ６０１とのインターフェースとしても機能する。また、通信Ｉ／Ｆ６１３は、無線を介してホームサーバ５０２に接続され、移動体放送受信装置５０１とホームサーバ５０２との間の情報の送受信をおこなう。
【００６１】
通信網には、ＬＡＮ、ＷＡＮ、公衆回線網や携帯電話網などがある。具体的には、通信Ｉ／Ｆ６１３は、たとえば、ＦＭチューナーなどによって構成される。
【００６２】
放送受信機６１４は、テレビ放送波を受信する。放送受信機６１４は、テレビ放送波送信装置５１０からのテレビ放送波を受信するアンテナ部、選局された番組のテレビ放送波をアンテナ部から受信し、デジタル信号に変換するチューナー部、チューナー部により変換されたデジタル信号を映像情報や音声情報に分離するデコード部などを備えている。
【００６３】
図１に示した移動体放送受信装置１００が備える出力部１０１、受信部１０２、受信放送情報送信部１０３、受信状態検出部１０４、判断部１０５、視聴情報送信部１０６、種別検出部１０７、取得部１０８、放送録画部１０９、記録部１１０、出力制御部１１１は、図６に示した移動体放送受信装置５０１におけるＲＯＭ６０２、ＲＡＭ６０３、磁気ディスク６０５、光ディスク６０７などに記録されたプログラムやデータを用いて、ＣＰＵ６０１が所定のプログラムを実行し、移動体放送受信装置５０１における各部を制御することによってその機能を実現する。
【００６４】
すなわち、実施例の移動体放送受信装置５０１は、移動体放送受信装置５０１における記録媒体としてのＲＯＭ６０２に記録されている放送受信プログラムを実行することにより、図１に示した移動体放送受信装置が備える機能を、図３に示した放送受信処理手順で実行することができる。
【００６５】
つぎに、ホームサーバ５０２のハードウェア構成について説明する。ホームサーバ５０２のハードウェア構成は、図６に示す移動体放送受信装置５０１のハードウェア構成と同じであり、ＲＯＭ６０２に記録されたプログラムが異なる。なお、ホームサーバ５０２のハードウェア構成については、移動体放送受信装置５０１のハードウェア構成と異なる点のみ説明して、同一部分の説明は省略する。
【００６６】
ホームサーバ５０２において、ＲＯＭ６０２は、ブートプログラム、データ更新プログラム、録画データ検出プログラムなどのプログラムを記録している。録画データ検出プログラムは、移動体放送受信装置５０１によって視聴不可の状態であると検出された場面の録画データを検出し、移動体放送受信装置５０１に送信させる。録画データとは、移動体放送受信装置５０１から送信された番組録画指示に基づいて、記録媒体に録画された、移動体放送受信装置５０１によって受信されている番組と同一の番組のデータである。
【００６７】
図２に示した放送録画装置２００が備える受信放送情報受付部２０１、同一放送録画部２０２、記録部２０３、視聴情報受付部２０４、場面検出部２０５、録画データ送信部２０６は、図６に示したホームサーバ５０２におけるＲＯＭ６０２、ＲＡＭ６０３、磁気ディスク６０５、光ディスク６０７などに記録されたプログラムやデータを用いて、ＣＰＵ６０１が所定のプログラムを実行し、ホームサーバ５０２における各部を制御することによってその機能を実現する。
【００６８】
すなわち、実施例のホームサーバ５０２は、ホームサーバ５０２における記録媒体としてのＲＯＭ６０２に記録されている放送録画プログラムを実行することにより、図２に示した放送録画装置が備える機能を、図４に示した放送録画処理手順で実行することができる。
【００６９】
（放送録画システムの処理の内容）
つぎに、放送録画システム５００の処理の内容について説明する。図７は、放送録画システムの処理の内容を示すシーケンス図である。図７のシーケンス図において、まず、移動体放送受信装置５０１において番組Ａの受信を開始する（ステップＳ７０１）。そして、ステップＳ７０１において受信された番組Ａの録画を開始する録画指示をホームサーバ５０２へ送信する（ステップＳ７０２）。ステップＳ７０２において送信された録画指示を受け付けたホームサーバ５０２においては、録画指示に基づいて、番組Ａを受信しホームサーバ５０２の備える記録媒体に番組Ａの録画を開始する（ステップＳ７０３）。
【００７０】
つぎに、移動体放送受信装置５０１において受信障害による視聴不可の状態を検出した場合（ステップＳ７０４）、受信障害発生時刻Ｔ１情報をホームサーバ５０２へ送信し、視聴不可の場面の録画データを要求する（ステップＳ７０５）。そして、ホームサーバ５０２において、ステップＳ７０５において送信された受信障害発生時刻Ｔ１情報を記録する（ステップＳ７０６）。
【００７１】
つぎに、ホームサーバ５０２において、ステップＳ７０６において記録された受信障害発生時刻Ｔ１情報に基づいて、ホームサーバ５０２の備える記録媒体から、受信障害発生時刻Ｔ１からの録画データを検出する（ステップＳ７０７）。そして、ステップＳ７０７において検出された録画データを移動体放送受信装置５０１へ送信する（ステップＳ７０８）。移動体放送受信装置５０１においては、ステップＳ７０８において送信された録画データを取得し、ステップＳ７０４において検出された視聴不可の状態の場面に、録画データを再生する（ステップＳ７０９）。
【００７２】
つぎに、移動体放送受信装置５０１において、受信状態の復帰を検出した場合、移動体放送受信装置５０１の備える記録媒体に番組Ａの録画を開始する（ステップＳ７１０）。そして、ホームサーバ５０２へ受信復帰時刻Ｔ２情報を送信し、録画データの停止を要求する（ステップＳ７１１）。ホームサーバ５０２においては、ステップＳ７１１において送信された受信復帰時刻Ｔ２情報を記録し、ステップＳ７０８において開始した録画データの送信を停止する（ステップＳ７１２）。また、このとき、移動体放送受信装置５０１においては、ホームサーバ５０２から送信された録画データの再生が終了するのを待って、再生終了後、ステップＳ７１０において録画を開始した番組Ａを追いかけ再生して（ステップＳ７１３）、一連の処理を終了する。
【００７３】
なお、図７のシーケンス図においては、ステップＳ７１０において番組Ａの録画を開始するとしているが、これに限るものではない。具体的には、たとえば、ステップＳ７０１において番組Ａの受信を開始したときに、番組Ａの録画を開始してもよい。この場合、たとえば、移動体放送受信装置５０１においては、ステップＳ７０９において録画データを再生せず、録画された番組Ａ内の視聴不可の場面に、ホームサーバ５０２から送信された録画データを上書きすることで、番組Ａ全体を視聴不可の場面なく録画して保存しておいてもよい。
【００７４】
また、図７のシーケンス図においては、ステップＳ７０４において、移動体放送受信装置５０１によって受信障害による視聴不可の状態を検出した場合、ホームサーバ５０２に録画データを要求するとしているが、これに限るものではない。たとえば、移動体放送受信装置５０１によって番組Ａの種別を検出して、番組Ａの種別が所定の種別以外の場合は、ステップＳ７０５の処理をおこなわないようにしてもよい。この場合、ホームサーバ５０２から録画データを取得せず、視聴不可の場面は視聴不可の状態のままとして番組Ａを出力してもよい。
【００７５】
（録画データ送信処理の一例）
つぎに、図７のステップＳ７０８において録画データを送信する処理の内容の一例について説明する。図８は、録画データ送信処理の一例について示す説明図である。図８に示すように、時刻Ｔ０に移動体放送受信装置５０１において番組Ａの受信を開始したときに、ホームサーバ５０２においても番組Ａの受信を開始し、かつ番組Ａの録画を開始する。そして、ホームサーバ５０２においては、受信障害発生時刻Ｔ１から受信復帰時刻Ｔ２までの録画データ（場面ｅ、場面ｆ、場面ｇ）８１１を、移動体放送受信装置５０１へ送信する。
【００７６】
これによって、移動体放送受信装置５０１においては、たとえば場面ａ〜場面ｊまでで、場面ｅ〜場面ｇの間が視聴不可の状態８０１であっても、ホームサーバ５０２から場面ｅ〜場面ｇの録画データ８１１を取得することで、視聴不可の場面なく番組Ａを出力することができる。
【００７７】
上述したように、本実施例の移動体放送受信装置５０１およびホームサーバ５０２によれば、移動体放送受信装置５０１によって番組Ａの受信を開始したときに番組録画指示を送信し、ホームサーバ５０２によって番組Ａの受信・録画を開始することができる。また、移動体放送受信装置５０１によって視聴不可の場面が検出された場合、受信障害発生時刻情報を送信して、ホームサーバ５０２から視聴不可の場面の録画データを取得し、再生することができる。また、移動体放送受信装置５０１によって受信状態が復帰した場合、受信復帰時刻情報を送信することで、ホームサーバ５０２からの録画データの送信を停止し、移動体放送受信装置５０１によって番組Ａの録画を開始する。そして、移動体放送受信装置５０１においては、ホームサーバ５０２からの録画データを再生した後に、追いかけ再生によって、自装置に録画された番組Ａを再生することができる。
【００７８】
したがって、移動体放送受信装置５０１において、たとえば、番組Ａにおける場面ａ〜場面ｊまでの、場面ｅ〜場面ｆの間が視聴不可の状態であっても、ホームサーバ５０２から場面ｅ〜場面ｆの録画データを取得し、場面ａ〜場面ｊまでをこの順に続けて出力することができる。これによって、利用者は、場面の前後関係を崩すことなく、かつ視聴不可の場面なく、番組を視聴することができる。
【００７９】
以上説明したように、本発明の移動体放送受信装置、放送録画装置、放送受信方法、放送録画方法、放送受信プログラム、放送録画プログラムおよび記録媒体によれば、テレビ放送における、移動体放送受信装置１００においては視聴不可の場面を、放送録画装置２００から取得して出力することができる。これによって、利用者は、場面の前後関係を崩すことなく、かつ視聴不可の場面なく、テレビ放送を視聴することができる。
【００８０】
なお、本実施の形態で説明した放送受信方法および放送録画方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００８１】
【図１】本実施の形態にかかる移動体放送受信装置の機能的構成を示すブロック図である。
【図２】本実施の形態にかかる放送録画装置の機能的構成を示すブロック図である。
【図３】移動体放送受信装置の放送受信処理手順を示すフローチャートである。
【図４】放送録画装置の放送録画処理手順を示すフローチャートである。
【図５】本実施例にかかる放送録画システムの概要について示す説明図である。
【図６】本実施例にかかる移動体放送受信装置およびホームサーバのハードウェア構成の一例を示すブロック図である。
【図７】放送録画システムの処理の内容を示すシーケンス図である。
【図８】録画データ送信処理の一例について示す説明図である。
【符号の説明】
【００８２】
１００  移動体放送受信装置
１０１  出力部
１０２  受信部
１０３  受信放送情報送信部
１０４  受信状態検出部
１０５  判断部
１０６  視聴情報送信部
１０７  種別検出部
１０８  取得部
１０９  放送録画部
１１０  記録部
１１１  出力制御部
【図１】
2009302970.tif 000003
【図２】
2009302970.tif 000004
【図３】
2009302970.tif 000005
【図４】
2009302970.tif 000006
【図５】
2009302970.tif 000007
【図６】
2009302970.tif 000008
【図７】
2009302970.tif 000009
【図８】
2009302970.tif 000010